(57)【特許請求の範囲】
【請求項１】
一方の分割片の雄実部と他方の分割片の雌実部とを結合して構成し、基台の上面に敷設する床材であって、
前記雄実部の上面と下面に、互いに平行な第１平行部を設け、
前記雌実部には対向する２面からなる第２平行部を設け、
前記第１平行部及び第２平行部は、基台の上面に対して傾斜しており、
前記一方の分割片には雄実部より上方に第１当接面が設けてあり、
他方の分割片には雌実部より上方に第２当接面が設けてあり、
両分割片が結合される際に、第２平行部の平行状態を維持しながら第１平行部が第２平行部に沿って直線的に相対移動して前記雄実部が雌実部に係合し、
第１当接面と第２当接面とが当接すると共に、第１平行部の一方の面と第２平行部の一方の面とが当接し、
両分割片が接近する方向に外力が作用する際には、第１当接面と第２当接面とが互いを押圧し、
基台の上面と平行に両分割片を離間させる方向の外力が作用する際には、第１平行部の前記一方の面と第２平行部の一方の面とが互いを押圧するものであり、
前記第１平行部は互いに平行な上部傾斜面と下部傾斜面とでなり、前記第２平行部は互いに平行で対向する天側傾斜面と地側傾斜面とでなり、
前記上部傾斜面の先端側には屈曲部を介し第１下降面が連続して設けられ、前記天側傾斜面の奥端側には屈曲部を介し前記第１下降面と対応するように傾斜した第１対向面が連続して設けられていることを特徴とする床材。
【発明の詳細な説明】
【技術分野】
【０００１】
本発明は、複数の板状の分割片が適宜組み合わされて構成される床材に関するものである。
【背景技術】
【０００２】
床材を複数の板状の分割片を組み合わせて構成すると、任意の広さ及び形状の床材を形成することができる。そのため、設置場所の面積や形状に合わせて適宜分割片を組み合わせることによって床材が構成される。その結果、一品一様の床材をその都度製造せずに済む。しかも所定の大きさの分割片を設置場所で組み立てることができるので、搬送も容易である。このような利点を有する分割片を組み合わせることによって構成される床材が、特許文献１に開示されている。
【０００３】
特許文献１には、分割片同士の接続部分の様々な形状が開示されている。この特許文献１に開示されているような形態の分割片同士の結合方法を採用することにより、床材は一体化される。
【先行技術文献】
【特許文献】
【０００４】
【特許文献１】特許第４４０５１４９号公報
【発明の概要】
【発明が解決しようとする課題】
【０００５】
ところで、特許文献１に開示されている床材の分割片同士の結合方法を見ると、いずれの形態も以下の２つのどちらかに属する。すなわち、１つ目の形態は図２（ａ）〜（ｃ）に示されるような形態であり、２つ目の形態は図２（ｄ）〜（ｆ）に示されるような形態である。
【０００６】
１つ目の形態では、図２（ａ）〜（ｃ）に示すような一方の分割片５１の雌実部５３と、他方の分割片５２の雄実部５４とが係合される。分割片５１の雌実部５３は、比較的幅が狭い開口部５５と、開口部５５よりも奥側に比較的幅が広い凹部５７が設けられている。また、分割片５２の雄実部５４は、比較的幅が狭い基部５８と、基部５８と連続し比較的幅が広い先端部５６とを有する。
【０００７】
分割片５１と分割片５２とを結合するには、図２（ｂ）に示すように分割片５２の雄実部５４の先端部５６を、分割片５１の雌実部５３の開口部５５に挿入する。その際、開口部５５は先端部５６に押圧されて幅が拡げられる。そして、先端部５６が雌実部５３の凹部５７に達すると開口部５５の幅は元に戻り、雌実部５３と雄実部５４とが完全に係合し、両分割片が結合される。すなわち、１つ目の形態では、雌実部５３と雄実部５４とが係合する途上で、雌実部５３の開口部５５が無理に押し拡げられる。その結果、雌実部５３には無理な力が作用する。
【０００８】
２つ目の形態では、図２（ｄ）〜（ｆ）に示すような一方の分割片６１の雌実部６３と、他方の分割片６２の雄実部６４とが係合される。図２（ｄ）に示すように分割片６１の雌実部６３には、内部に凹部６７が設けられている。
【０００９】
分割片６１の開口部６５と、分割片６２の雄実部６４の先端部６６は、水平方向に接近させると衝突する。そのため、雌実部６３と雄実部６４とを係合させる際には、図２（ｅ）において分割片６２を角度θだけ反時計方向に回転させて分割片６１に接近させ、分割片６１の角部６１ａに分割片６２の角部６２ａを位置合わせし、さらに分割片６２を時計回りに角度θだけ回転させることにより、図２（ｆ）に示すように雌実部６３に雄実部６４を係合させることができる。
【００１０】
すなわち、雄実部６４が回転移動する際に、雄実部６４の先端部６６が雌実部６３の開口部６５に衝突せず、両分割片６１，６２が平行になると、図２（ｆ）に示すように雄実部６４と雌実部６３とが係合する。この状態では、仮に両分割片６１，６２を離間させる方向に外力が作用しても、両分割片６１，６２は離間せず、接続状態を維持することができる。
【００１１】
ここで１つ目の形態では、雄実部５４と雌実部５３とが係合する際に、雌実部５３の開口部５５が一時的に拡げられるので、分割片５１の接続部位（雌実部５３）が傷み易い。また、２つ目の形態では、両分割片６１，６２を接合するには、分割片６２を角度θだけ反時計回りに回転させ、両分割片６１，６２の角部６１ａ，６２ａを位置合わせした上で図２（ｅ）に示す状態から図２（ｆ）に示す状態まで分割片６２を時計回りに回転させるという操作が必要であり、接合作業が繁雑である。
【００１２】
そこで本発明は、上記事情に鑑み、容易に分割片同士を結合することができる床材を提供することを課題とする。
【課題を解決するための手段】
【００１３】
上記課題を解決するための請求項１の発明は、一方の分割片の雄実部と他方の分割片の雌実部とを結合して構成し、基台の上面に敷設する床材であって、前記雄実部の上面と下面に、互いに平行な第１平行部を設け、前記雌実部には対向する２面からなる第２平行部を設け、前記第１平行部及び第２平行部は、基台の上面に対して傾斜しており、前記一方
の分割片には雄実部より上方に第１当接面が設けてあり、他方の分割片には雌実部より上方に第２当接面が設けてあり、両分割片が結合される際に、第２平行部の平行状態を維持しながら第１平行部が第２平行部に沿って直線的に相対移動して前記雄実部が雌実部に係合し、第１当接面と第２当接面とが当接すると共に、第１平行部の一方の面と第２平行部の一方の面とが当接し、両分割片が接近する方向に外力が作用する際には、第１当接面と第２当接面とが互いを押圧し、基台の上面と平行に両分割片を離間させる方向の外力が作用する際には、第１平行部の前記一方の面と第２平行部の一方の面とが互いを押圧するものであり、前記第１平行部は互いに平行な上部傾斜面と下部傾斜面とでなり、前記第２平行部は互いに平行で対向する天側傾斜面と地側傾斜面とでなり、前記上部傾斜面の先端側には屈曲部を介し第１下降面が連続して設けられ、前記天側傾斜面の奥端側には屈曲部を介し前記第１下降面と対応するように傾斜した第１対向面が連続して設けられていることを特徴とする床材である。
【００１４】
請求項１の発明では、一方の分割片と他方の分割片とが結合する際に、一方の分割片の雄実部の上下面に設けた第１平行部が、他方の分割片の雌実部の対向する面に設けた第２平行部に沿って直線的に相対移動して雄実部が雌実部に係合する。その際、第２平行部の平行状態が維持され、両分割片が結合する際に、雄実部及び雌実部に負荷が掛からない。すなわち、係合の途中において雌実部が雄実部によって押圧されて変形しない。その結果、雄実部及び雌実部の耐久性が向上する。
【００１５】
また、雄実部と雌実部とが結合状態のときに、一方の分割片の第１当接面と他方の分割片の第２当接面とが当接し、一方の分割片の第１平行部の一方の面と第２平行部の一方の面とが当接する。そのため、両分割片を接近させる方向の外力が作用する際には、一方の分割片の第１当接面と他方の分割片の第２当接面とが押圧して当該外力に抗することができる。
【００１６】
さらに、第１平行部及び第２平行部は、基台の上面に対して傾斜しているので、外力が基台の上面と平行に両分割片を離間させる方向に作用する際には、第１平行部の一方の面と第２平行部の一方の面とが押圧して当該外力に対して抗することができる。その結果、両分割片の結合状態を良好に維持することができる。
【発明の効果】
【００１７】
本発明は、一方の分割片の雄実部に設けた第１平行部が、他方の分割片に設けた雌実部の第２平行部に沿って直線的に相対移動して雄実部と雌実部とが係合するので、係合時に雄実部と雌実部とが互いに押圧せず、互いに負荷を掛けない。よって、雄実部と雌実部の耐久性を向上させることができる。また、雄実部の第１平行部と雌実部の第２平行部が、基台の上面に対して傾斜しているので、基台の上面に平行な外力が作用しても、両分割片が離間せず、接続状態を良好に維持することができる。
【００１８】
すなわち、雄実部と雌実部とが結合状態のときに、両分割片を接近させる方向の外力が作用する際には、一方の分割片の第１当接面と他方の分割片の第２当接面とが押圧して当該外力に抗することができ、逆に、外力が基台の上面と平行に両分割片を離間させる方向に作用する際には、第１平行部の一方の面と第２平行部の一方の面とが押圧して当該外力に対して抗することができる。その結果、両分割片の結合状態を良好に維持することができる。
【００１９】
よって、両分割片の結合状態が良好に維持されるので、両分割片の間に隙間が生じず、床材の見栄えが良好である。
【図面の簡単な説明】
【００２０】
【図１】本発明の床材の部分拡大断面図であり、（ａ）は分割片同士が結合する前の状態を示し、（ｂ）は分割片同士が結合する途中の状態を示し、（ｃ）は分割片同士が完全に結合した状態を示す。
【図２】（ａ）〜（ｃ）は、従来の床材の分割片同士の結合状態を示す部分拡大断面図であり、（ｄ）〜（ｆ）は、（ａ）〜（ｃ）とは別の従来の床材の分割片同士の結合状態を示す部分拡大断面図である。
【発明を実施するための形態】
【００２１】
以下、図面を参照しながら説明する。図１（ａ）に示すように床材１０は、分割片１と分割片２とを備えている。分割片１と分割片２は、同じ大きさ及び形状を有しており、右側面に雄実部３を備えており、左側面に雌実部４を備えている。図１（ａ）では、分割片１の右端側の断面と分割片２の左端側の断面とが図示されている。分割片１及び分割片２は、水平な基台２１上に設置される。
【００２２】
雄実部３は、右上方に傾斜して突出している。すなわち雄実部３には、上部傾斜面５と下部傾斜面６とが設けられている。上部傾斜面５と下部傾斜面６（第１平行部）は平行であり、水平面（基台２１の上面）に対して傾斜している。上部傾斜面５の先端側には屈曲部２７を介して第１下降面２３が設けられている。すなわち、上部傾斜面５と下降面２３とが屈曲部２７を介して連続している。また、第１下降面２３は、先端屈曲部２８を介して第２下降面２４と連続している。さらに第２下降面２４は、屈曲部３２を介して下部傾斜面６と連続している。先端屈曲部２８は、雄実部３の最も突出している部位である。雄実部３の基部上側には水平面７が設けられている。水平面７と上部傾斜面５とは連続しており、両面の境界には屈曲部１７が形成されている。
【００２３】
水平面７にはガイド溝１９が形成されている。ガイド溝１９は、紙面に直交する方向に延びている。このガイド溝１９に沿って複数の釘２０が打ち込まれ、分割片１が基台２１に固定される。釘２０の頭部はガイド溝１９内に収容され、釘２０は水平面７から突出していない。
【００２４】
図１（ａ）に示すように水平面７は、当接面８と連続している。すなわち、当接面８と上部傾斜面５の間に水平面７が配置されている。分割片１が基台２１上（水平面上）に設置されると、当接面８は鉛直方向を向く。さらに当接面８の上端は、露出面９と連続している。露出面９は傾斜面であり、床材１０の上方から視認される。すなわち、分割片１の上面は、床材１０の表面２２ａを構成し、露出面９は表面２２ａと連続している。
【００２５】
一方、雌実部４は、雄実部３を収容可能な凹部であり、内部に天側傾斜面１１と地側傾斜面１２（第２平行部）とを有している。天側傾斜面１１と地側傾斜面１２は平行であり、両面の間隔は、雄実部３の上部傾斜面５と下部傾斜面６の間隔（雄実部３の厚さ）よりも若干広い。
【００２６】
雌実部４の天側傾斜面１１の開口側には退避面１５が設けられている。退避面１５は、図１（ａ）で見て天側傾斜面１１とは左右反対向きに傾斜する傾斜面である。退避面１５と天側傾斜面１１の境界には屈曲部１６が形成されている。また、天側傾斜面１１は、屈曲部２９を介して第１対向面２５と連続している。また、第１対向面２５は、屈曲部３０を介して第２対向面２６と連続している。さらに第２対向面２６と地側傾斜面１２とが、屈曲部３１を介して連続している。すなわち、天側傾斜面１１と地側傾斜面１２とは、第１対向面２５と第２対向面２６を介して連続している。第１対向面２５と第２対向面２６は、各々雄実部３の第１下降面２３と第２下降面２４に対応する傾斜面であり、図１（ｃ）に示すように、雄実部３と雌実部４とが係合すると、両者間には隙間１８が形成される。
【００２７】
さらに退避面１５には当接面１４が連続して形成されている。当接面１４は雄実部３の当接面８と対向する高さに形成されている。すなわち、雄実部３と雌実部４とが係合すると、当接面８と当接面１４とが当接し、両分割片１，２は、それ以上接近しない。
【００２８】
雌実部４の当接面１４の上端には露出面１３が設けられている。露出面１３は傾斜面であり、床材１０の上方から視認される。すなわち、分割片２の上面は、床材１０の表面２２ｂを構成し、露出面１３は表面２２ｂと連続している。
【００２９】
以上説明した雄実部３と雌実部４とを有する２つの分割片１，２同士が、次のように基台２１上に配置される。まず、分割片１が基台２１上に載置され、さらにガイド溝１９に沿って複数の釘２０が下方に打ち込まれる。その結果、釘２０の先端は基台２１に達し、分割片１は基台２１に固定される。
【００３０】
次に図１（ａ）に示すように、分割片２を分割片１の斜め上方から直線的に接近させる。すなわち、まず雌実部４の第２平行部（天側傾斜面１１と地側傾斜面１２）が、雄実部３の第１平行部（上部傾斜面５と下部傾斜面６）の延長上にくるように位置合わせする。このとき、分割片２は基台２１と平行である。この場合、分割片２の接近は斜め上方からだけではなく、水平方向に近い状態で接近させてもよいことは当然である。
【００３１】
次に、分割片２を第１平行部及び第２平行部と平行に直線的に移動させる。その結果、図１（ｂ）に示すように雌実部４に雄実部３が係合し始める。すなわち、雌実部４の天側傾斜面１１と地側傾斜面１２（第２平行部）の間隔は、雄実部３の上部傾斜面５と下部傾斜面６（第１平行部）の間隔（雄実部３の厚さ）よりも若干広く、さらに第１平行部と第２平行部とは平行であり、分割片２の天側傾斜面１１が分割片１の上部傾斜面５に接触して摺動する。
【００３２】
そして、図１（ｃ）に示すように、分割片１の当接面８と分割片２の当接面１４とが当接し、さらに分割片１の屈曲部１７と分割片２の屈曲部１６とが一致し、上部傾斜面５と分割片２の天側傾斜面１１とが当接し、雄実部３と雌実部４とが完全に係合する。
【００３３】
その際、図１（ｃ）に示すように、分割片１の水平面７と分割片２の退避面１５の間には隙間２２が形成され、ガイド溝１９に打ち込まれた釘２０が分割片２に接触せず、分割片１と分割片２は円滑に結合される。また、雄実部３と雌実部４の間（第１下降面２３と第１対向面２５の間、及び第２下降面２４と第２対向面２６の間）には隙間１８が形成される。隙間２２や隙間１８には、図示しない接着剤が介在し、分割片１と分割片２とを強固に接着固定することができる。又、雄実部３の先端の第１下降面２３，第２下降面２４を、各々雌実部４の第１対向面２５と第２対向面２６に面接触させ、分割片１と分割片２とがガタつかないようにすることも可能である。
【００３４】
分割片１側の当接面８と分割片２側の当接面１４とが当接すると、分割片１側の露出面９の下辺と分割片２側の露出面１３の下辺とが一致し、断面視でＶ字形の溝２３が構成される。その結果、両分割片１，２の継ぎ目の見栄えがよくなる。
【００３５】
以上説明したように分割片１，２を構成すると、両分割片１，２を結合する際に、雄実部３及び雌実部４に無理な力が作用せず、耐久性が向上する。すなわち、分割片１，２の係合時には、図２（ｂ）に示すように、雌実部が雄実部に押圧されて変形しないので、特に雌実部４の耐久性が向上する。また、先に基台２１に固定した分割片１に対して、分割片２を直線的に斜め上方域は水平に近い方向から接近させるだけで分割片２を分割片１にワンタッチで結合することができる。
【００３６】
結合後は、両分割片１，２が接近する方向に外力が作用しても、当接面８，１４同士が押圧して両分割片１，２の位置は変化せず、逆に両分割片１，２が離間する方向に外力が作用しても、雄実部３の上部傾斜面５に雌実部４の天側傾斜面１１が当接しているので、両分割片１，２の位置は変化しない。すなわち、基台２１に平行な力が作用しても、両分割片１，２の結合は良好に維持される。
【００３７】
また、分割片１（雄実部３）に対する分割片２（雌実部４）の係合は、直線的に行われるので、図２（ｅ）に示すように一方の分割片を回転させる必要がなく、両分割片１，２の結合作業は容易であり、熟練労働力が不要である。さらに、分割片１と分割片２の間には、他の部材が介在しておらず、構造が簡易である。
【００３８】
上部傾斜面５及び下部傾斜面６は、表面２２ａ及び水平面７に対して、例えば５〜３０度の範囲の角度を呈するように形成することができるが、特に１０〜２０度の範囲に設定するのが好ましい。
【符号の説明】
【００３９】
１    分割片（一方の分割片）
２    分割片（他方の分割片）
３    雄実部
４    雌実部
５    上部傾斜面（第１平行部）
６    下部傾斜面（第１平行部）
７    水平面
８    当接面（第１当接面）
１０  床材
１４  当接面（第２当接面）
【図１】
0005601169.tif 000002
【図２】
0005601169.tif 000003